(57)【要約】【課題】適切なサイズで画像を表示すること。【解決手段】情報処理装置は、画像を示す画像情報を取得する画像取得部と、視角に関する視角情報を取得する視角取得部と、距離を示す距離情報を取得する距離取得部と、前記画像情報が示す前記画像の表示サイズを、前記視角情報と前記距離情報とに基づいて算出する算出部と、を備える。【選択図】図１
2017215371.tif 000002
【特許請求の範囲】
【請求項１】
画像を示す画像情報を取得する画像取得部と、
視角に関する視角情報を取得する視角取得部と、
距離を示す距離情報を取得する距離取得部と、
前記画像情報が示す前記画像の表示サイズを、前記視角情報と前記距離情報とに基づいて算出する算出部と、
を備える情報処理装置。
【請求項２】
視角を指定する操作を受け付ける操作受付部、を備え、
前記視角取得部は、前記操作受付部を介して指定された視角を示す第１の視角情報と、前記画像情報に予め関連付けられた視角を示す第２の視角情報と、の少なくともいずれか１つに基づいて、前記視角情報を取得する
請求項１に記載の情報処理装置。
【請求項３】
前記第１の視角情報と、前記第２の視角情報とは、視角を示す確率密度関数であり、
前記視角取得部は、前記第１の視角情報の確率密度関数と、前記第２の視角情報の確率密度関数と、の積を最尤法により算出することにより、前記視角情報を取得する
請求項２に記載の情報処理装置。
【請求項４】
前記画像情報が示す画像を、前記算出部が算出した表示サイズで投射面に表示されるように投射する投射部、を備える
請求項１から請求項３のいずれか一項に記載の情報処理装置。
【請求項５】
コンピュータに、
画像を示す画像情報を取得する第１ステップと、
視角を示す視角情報を取得する第２ステップと、
距離を示す距離情報を取得する第３ステップと、
前記画像情報が示す前記画像の表示サイズを、前記視角情報と前記距離情報とに基づいて算出する第４ステップと、
を実行させるためのプログラム。
【発明の詳細な説明】
【技術分野】
【０００１】
本発明は、情報処理装置及びプログラムに関する。
【背景技術】
【０００２】
近年、従来よりも大きな画面に画像を表示することができるテレビやプロジェクタ等の情報処理装置が普及している。また、特許文献１には、スクリーン面上の複数点との距離を正確に測定できる光線を用いた距離測定装置を備えるプロジェクタについて記載されている。
【先行技術文献】
【特許文献】
【０００３】
【特許文献１】特開２００９−２９４２２７号公報
【発明の概要】
【発明が解決しようとする課題】
【０００４】
ところで、従来の情報処理装置では、特に設定を変更しない限り、画像は情報処理装置が表示可能な最大の大きさで表示されてきた。しかしながら、特に大きな画面を備える情報処理装置の場合、必ずしも大きな画像を表示することが適切ではないことがある。例えば、視聴者が画面の近くにいる場合に、大きな画像を表示すると、視聴者はその全体像を把握しにくくなる可能性がある。また、例えば、視聴者が小さなサイズで画像を視聴することを好む場合もある。また、例えば、画像の制作者が推薦する画像の表示サイズが存在する場合もある。このように、従来は、適切なサイズで画像を表示することができない場合があった。
【０００５】
本発明のいくつかの態様は、適切なサイズで画像を表示することができる情報処理装置及びプログラムを提供することを目的の一つとする。
【０００６】
また、本発明の他の態様は、後述する実施形態に記載した作用効果を奏することを可能にする情報処理装置及びプログラムを提供することを目的の一つとする。
【課題を解決するための手段】
【０００７】
上述した課題を解決するために、本発明の一態様は、画像を示す画像情報を取得する画像取得部と、視角に関する視角情報を取得する視角取得部と、距離を示す距離情報を取得する距離取得部と、前記画像情報が示す前記画像の表示サイズを、前記視角情報と前記距離情報とに基づいて算出する算出部と、を備える情報処理装置である。
【０００８】
また、本発明の一態様は、視角を指定する操作を受け付ける操作受付部、を備え、前記視角取得部は、前記操作受付部を介して指定された視角を示す第１の視角情報と、前記画像情報に予め関連付けられた視角を示す第２の視角情報と、の少なくともいずれか１つに基づいて、前記視角情報を取得する上記の情報処理装置である。
【０００９】
また、本発明の一態様は、前記第１の視角情報と、前記第２の視角情報とは、視角を示す確率密度関数であり、前記視角取得部は、前記第１の視角情報の確率密度関数と、前記第２の視角情報の確率密度関数と、の積を最尤法により算出することにより、前記視角情報を取得する上記の情報処理装置である。
【００１０】
また、本発明の一態様は、前記画像情報が示す画像を、前記算出部が算出した表示サイズで投射面に表示されるように投射する投射部、を備える上記の情報処理装置である。
【００１１】
また、本発明の一態様は、コンピュータに、画像を示す画像情報を取得する第１ステップと、視角を示す視角情報を取得する第２ステップと、距離を示す距離情報を取得する第３ステップと、前記画像情報が示す前記画像の表示サイズを、前記視角情報と前記距離情報とに基づいて算出する第４ステップと、を実行させるためのプログラムである。
【発明の効果】
【００１２】
本発明の一態様によれば、適切なサイズで画像を表示することができる。
【図面の簡単な説明】
【００１３】
【図１】本発明の第１の実施形態の概要を示す第１の模式図である。
【図２】同実施形態の概要を示す第２の模式図である。
【図３】同実施形態に係る表示装置の構成を示すブロック図である。
【図４】同実施形態に係る表示装置による処理の流れの一例を示すフローチャートである。
【図５】本発明の第２の実施形態の概要を示す模式図である。
【図６】同実施形態に係る表示装置の構成を示すブロック図である。
【図７】本発明の第３の実施形態の概要を示す模式図である。
【図８】同実施形態に係る表示装置の構成を示すブロック図である。
【図９】同実施形態に係る表示装置による処理の流れの一例を示すフローチャートである。
【発明を実施するための形態】
【００１４】
以下、本発明の一実施形態について、図面を参照して説明する。
[第１の実施形態]
本発明の第１の実施形態について説明する。
図１、２は、本実施形態の概要を示す模式図である。
本実施形態に係る表示装置１０は、液晶ディスプレイパネルや有機ＥＬ（Ｅｌｅｃｔｒｏ−Ｌｕｍｉｎｅｓｃｅｎｃｅ）ディスプレイパネル等のディスプレイパネルを表示部１３として備える装置である。つまり、表示装置１０は、いわゆる直視型表示装置であり、例えば、テレビである。表示装置１０は、視聴距離と視聴視角とに基づいて、表示する画像サイズを決定する。
【００１５】
視聴距離とは、ユーザと表示装置１０との間の距離である。なお、ユーザとは、表示装置１０が表示する画像の視聴者である。
視聴視角とは、表示装置１０が表示する画像の両端から、ユーザの眼に至る２直線のなす角である。つまり、視聴視覚とは、画像を眼で見た場合の網膜像の大きさに対応し、眼で見た画像の大小に対応する。視聴視角は、例えば、ユーザの指定や画像の制作者の指定に基づいて定められる。
【００１６】
表示装置１０は、視聴視角が一定になるような画像サイズで画像を表示する。例えば、図１に示すように、表示装置１０は、サイズＤＳの画面サイズを備える場合であっても、視聴視角θが一定になるように、サイズＤＳよりも小さいサイズＰＳで画像を表示する。また、表示装置１０は、視聴距離が変わった場合には、視聴距離の変化に対応して、表示サイズを変更する。例えば、視聴距離が、図１に示す距離ＵＤから図２に示す距離ＵＤ’へと縮小した場合には、視聴距離の縮小に合わせて画像の表示サイズを、サイズＰＳからサイズＰＳ’へと縮小する。
【００１７】
このように表示装置１０は、画像の表示サイズを、視聴視角と視聴距離とに基づいて算出する。これにより、表示装置１０は、視聴距離に関わらず視聴視角を一定にする。つまり、表示装置１０は、ユーザが知覚する画像のサイズを常に一定にする。従って、表示装置１０は、適切なサイズで画像を表示することができる。
【００１８】
なお、本実施形態において、サイズとは、空間的な大きさのことである。
また、画面サイズとは、表示装置１０の表示面の大きさである。つまり、画面サイズとは、表示装置１０が画像を表示することができる最大の大きさである。
また、画像サイズとは、画像情報が示す画像の仮想的な大きさである。具体的には、画像サイズとは、画像の解像度である。
また、表示サイズとは、画像が表示装置１０に表示されるときの大きさである。
なお、通常の画像は、水平（横）方向を長手方向とする矩形である。従って、画面サイズ、画像サイズ、表示サイズは、それぞれ、水平（横）方向の長さを基準として処理されてよい。
以上が、第１の実施形態の概要についての説明である。
【００１９】
次に、表示装置１０の構成について説明する。
図３は、表示装置１０の構成を示すブロック図である。
表示装置１０は、入力部１１と、受信部１２と、表示部１３と、視聴距離計測部１４と、記憶部１５と、制御部１６と、を備える。
入力部１１は、例えば、リモートコントローラ、タッチセンサ、機械式ボタン等の入力用モジュールを備える。入力部１１は、例えば、ユーザによる視聴視角の指定等を受け付ける。
【００２０】
受信部１２は、例えば、アンテナ、通信用ＩＣ（Ｉｎｔｅｇｒａｔｅｄ  Ｃｉｒｃｕｉｔ）等の放送受信用モジュールや通信用モジュールを備える。受信部１２は、通信や放送を介して、外部装置から各種情報を取得する。
表示部１３は、液晶ディスプレイパネルや有機ＥＬディスプレイパネル等の表示用モジュールを備える。表示部１３は、各種画像を表示する。
【００２１】
視聴距離計測部１４は、光学センサ等の距離計測用モジュールを備える。視聴距離計測部１４は、視聴距離を計測する。視聴距離の計測は、任意の方式により行われてよい。例えば、視聴距離の計測には、Ｔｉｍｅ  Ｏｆ  Ｆｌｉｇｈｔ方式を採用してもよい。例えば、リモートコントローラに赤外線ＬＥＤ（Ｌｉｇｈｔ  Ｅｍｉｓｓｉｎｇ  Ｄｉｏｄｅ）と赤外線センサとを設ける。赤外線ＬＥＤから送信した信号を表示装置１０が反射し、反射信号を赤外線センサが受信する。視聴距離は、赤外線の送信から受信までの時間差に基づいて算出することができる。
【００２２】
記憶部１５は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備える。また、記憶部１５は、ＨＤＤ（Ｈａｒｄ  Ｄｉｓｃ  Ｄｒｉｖｅ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒy）、フラッシュメモリ等を備えてもよい。記憶部１５は、制御部１６が行う処理に供される情報や、制御部１６が行った処理の結果等を記憶する。
【００２３】
記憶部１５は、嗜好サイズ情報記憶部１５１と、画面情報記憶部１５２と、を備える。
嗜好サイズ情報記憶部１５１は、嗜好サイズ情報を記憶する。嗜好サイズ情報については後述する。
画面情報記憶部１５２は、画面情報を予め記憶する。画面情報とは、表示部１３の画面の属性を示す情報である。画面情報には、画面解像度情報と、画面サイズ情報とが含まれる。画面解像度情報とは、表示部１３の解像度を示す情報である。画面サイズ情報とは、表示部１３の画面サイズを示す情報である。
【００２４】
制御部１６は、視角情報取得部１６１と、画面情報取得部１６２と、距離取得部１６３と、表示サイズ算出部１６４と、画像サイズ変換部１６６と、画像情報取得部１６５と、表示制御部１６７と、を備える。これら制御部１６の各構成は、例えばＬＳＩ（Ｌａｒｇｅ  Ｓｃａｌｅ  Ｉｎｔｅｇｒａｔｉｏｎ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェアの集積回路として実現される。
【００２５】
視角情報取得部１６１は、視角情報を取得する。視角情報とは、視聴視角に関する情報である。本実施形態において、視角情報には、嗜好サイズ情報と、制作サイズ情報との２種類がある。
嗜好サイズ情報とは、ユーザにより指定された視聴視角を示す情報である。つまり、嗜好サイズ情報とは、ユーザが嗜好する視聴視角を示す情報である。視角情報取得部１６１は、入力部１１への操作を介して、嗜好サイズ情報を取得し、取得した嗜好サイズ情報を、嗜好サイズ情報記憶部１５１に記憶させる。以降は、嗜好サイズ情報を取得する場合には、嗜好サイズ情報記憶部１５１に記憶された嗜好サイズ情報を参照すればよい。
【００２６】
制作サイズ情報とは、画像の制作者により指定された視聴視角を示す情報である。つまり、制作サイズ情報とは、画像の制作者が、画像の視聴に際して推薦する視聴視角を示す情報である。視角情報取得部１６１は、例えば受信部１２を介して、画像情報の配信元から制作サイズ情報を取得する。
【００２７】
嗜好サイズ情報と、制作サイズ情報とは、視聴視角の角度の値により記述されてもよいし、視聴視角についての関数により記述されてもよい。以下では、一例として、嗜好サイズ情報と、制作サイズ情報とが視聴視角についての確立密度関数の形式で表される場合について説明する。表示サイズ算出部１６４は、嗜好サイズ情報と、制作サイズ情報とに基づいて最適な視聴視角を算出する。具体的には、表示サイズ算出部１６４は、最尤法により最適な視聴視角を算出してよい。視角情報取得部１６１は、算出した視聴視角を示す最適視聴視角情報を、表示サイズ算出部１６４に出力する。
【００２８】
画面情報取得部１６２は、画面情報記憶部１５２に記憶された画面サイズ情報を読み出す。画面情報取得部１６２は、読み出した画面サイズ情報を表示サイズ算出部１６４に出力する。
距離取得部１６３は、視聴距離計測部１４を介して、視聴距離情報を取得する。視聴距離情報とは、視聴距離を示す情報である。距離取得部１６３は、取得した視聴距離情報を表示サイズ算出部１６４に出力する。
【００２９】
表示サイズ算出部１６４は、視角情報取得部１６１から最適視聴視角情報を取得する。表示サイズ算出部１６４は、距離取得部１６３から視聴距離情報を取得する。表示サイズ算出部１６４は、最適視聴視角情報と、視聴距離情報とに基づいて、表示サイズを算出する。表示サイズ算出部１６４は、例えば、下記の式（１）により表示サイズを算出する。
Ｚ＝２×Ｄ×ｔａｎ（ψ／２）    ・・・（１）
ここで、サイズＺは、表示サイズを示す値である。距離Ｄは、視聴距離を示す値である。ψは、視聴視角を示す値である。
【００３０】
表示サイズ算出部１６４は、画面情報取得部１６２から画面サイズ情報を取得する。表示サイズ算出部１６４は、式（１）により算出した表示サイズと、画面サイズとを比較する。表示サイズ算出部１６４は、表示サイズが画面サイズに比して大きい場合、画面サイズを、表示サイズとする。表示サイズが画面サイズ以下の場合、表示サイズはそのままでよい。表示サイズ算出部１６４は、表示サイズを示す表示サイズ情報を、画像サイズ変換部１６６に出力する。
【００３１】
画像情報取得部１６５は、受信部１２を介して、画像を示す画像情報を取得する。画像は、映像（動画像）であってもよいし、静止画像であってもよい。以下では、一例として、画像とは、映像である場合について説明する。画像情報取得部１６５は、取得した画像情報を、画像サイズ変換部１６６に出力する。
【００３２】
画像サイズ変換部１６６は、表示サイズ算出部１６４から表示サイズ情報を取得する。画像サイズ変換部１６６は、画像情報取得部１６５から画像情報を取得する。画像サイズ変換部１６６は、画面情報記憶部１５２から画面情報を取得する。画像サイズ変換部１６６は、画像情報が示す画像が、表示部１３において表示サイズ情報が示す表示サイズで表示されるように画像情報を変換する。画面の１画素が占める空間的な大きさは、画面の解像度を画面サイズで除算して算出可能である。そして、表示サイズを、画面の１画素が占める空間的な大きさで除算することにより、目的とする変換後の画像の解像度を算出可能である。画像サイズ変換部１６６は、変換後の画像情報を、表示制御部１６７に出力する。
【００３３】
表示制御部１６７は、画像サイズ変換部１６６から画像情報を取得する。表示制御部１６７は、取得した画像情報を、表示部１３に出力して画像を表示させる。
以上が、表示装置１０の構成についての説明である。
【００３４】
次に、表示装置１０の動作について説明する。
図４は、表示装置１０による処理の流れの一例を示すフローチャートである。
図４に示す処理は、例えば、チャンネルの切り替え等、表示する画像を切り替える操作を受け付けたとき、番組が切り替わるとき、又は、ユーザにより表示サイズを調整する指示が行われたとき等のタイミングで実行される。
【００３５】
（ステップＳ１０）視角情報取得部１６１は、嗜好サイズ情報記憶部１５１から嗜好サイズ情報を読み出す。その後、制御部１６は、ステップＳ１１に処理を進める。
（ステップＳ１１）視角情報取得部１６１は、受信部１２を介して、制作サイズ情報を取得する。制作サイズ情報は、例えば、画像の再生ボタン、チャンネル変更ボタン等、表示する画像の選択操作を受け付けたときに取得されてよい。その後、制御部１６は、ステップＳ１２に処理を進める。
（ステップＳ１２）視角情報取得部１６１は、ステップＳ１０、Ｓ１１の処理により取得した嗜好サイズ情報と、制作サイズ情報とに基づいて、最適な視聴視角を算出する。視角情報取得部１６１は、最適視聴視角情報を表示サイズ算出部１６４に出力する。その後、制御部１６は、ステップＳ１３に処理を進める。
【００３６】
（ステップＳ１３）距離取得部１６３は、視聴距離計測部１４を介して、視聴距離情報を取得する。ここで、視聴距離は、例えば、画像の再生ボタン、チャンネル変更ボタン等、リモートコントローラが前回操作されたときに計測されたものを利用してよい。リモートコントローラが操作されるときには、ユーザがリモートコントローラの近傍に位置している。そのため、リモートコントローラの操作時に合わせて視聴距離を計測しておくことにより、視聴距離を精度よく計測することができる。距離取得部１６３は、取得した視聴距離情報を表示サイズ算出部１６４に出力する。その後、制御部１６は、ステップＳ１４に処理を進める。
【００３７】
（ステップＳ１４）画面情報取得部１６２は、画面情報記憶部１５２から画面サイズ情報を取得する。画面情報取得部１６２は、取得した画面情報を表示サイズ算出部１６４に出力する。その後、制御部１６は、ステップＳ１５に処理を進める。
（ステップＳ１５）表示サイズ算出部１６４は、最適視聴視角情報と、視聴距離情報と、画面サイズ情報と基づいて、表示サイズを算出する。表示サイズ算出部１６４は、表示サイズ情報を画像サイズ変換部１６６に出力する。その後、制御部１６は、ステップＳ１６に処理を進める。
【００３８】
（ステップＳ１６）画像サイズ変換部１６６は、画像情報取得部１６５から取得する画像情報が示す各フレームの画像サイズを、表示サイズに合わせて変換する。画像サイズ変換部１６６は、変換後の画像情報を、表示制御部１６７に出力する。その後、制御部１６は、ステップＳ１７に処理を進める。
【００３９】
（ステップＳ１７）表示制御部１６７は、画像サイズ変換部１６６から取得した画像情報を、表示部１３に出力する。これにより、最適視聴視角に応じたサイズで画像が表示される。そして、制御部１６は、図４に示す処理を終了する。
なお、表示制御部１６７は、画像の表示位置を調整してもよい。画像は、その中心を常に画面の中心に一致させて表示されてもよいし、画面の中心からずらして表示されてもよい。例えば、図１に示すように、ユーザの頭部の正面に対応する中心点ＣＰを、画像の中心に一致させてもよい。また、ユーザの体の位置に応じて、画像を画面の上下左右に寄せて表示してもよい。
以上が、表示装置１０の動作についての説明である。
【００４０】
以上説明したように、本実施形態に係る表示装置１０は、画像（例えば、映像、静止画像）を示す画像情報を取得する画像情報取得部１６５と、視角（例えば、視聴視角）に関する視角情報（例えば、嗜好サイズ情報、制作サイズ情報）を取得する視角情報取得部１６１と、距離（例えば、視聴距離）を示す距離情報を取得する距離取得部１６３と、画像情報が示す画像の表示サイズを、視角情報と距離情報とに基づいて算出する表示サイズ算出部１６４と、を備える。
【００４１】
これにより、表示装置１０は、視聴距離や視聴視角に応じて画像の表示サイズを決定する。従って、表示装置１０は、例えば、視聴距離に無関係に視聴視角を一定とすることができる。この場合、ユーザは、どの位置にいても常に同じ感覚で画像を視聴することができる。このように、表示装置１０は、適切なサイズで画像を表示することができる。
【００４２】
また、表示装置１０は、視角を指定する操作を受け付ける入力部１１、を備え、視角情報取得部１６１は、入力部１１を介して指定された視角を示す第１の視角情報（例えば、嗜好サイズ情報）と、画像情報に予め関連付けられた視角を示す第２の視角情報（例えば、制作サイズ情報）と、の少なくともいずれか１つに基づいて、視角情報を取得する。
これにより、表示装置１０は、ユーザの嗜好と、製作者の制作意図との少なくともいずれか１つを、画像の表示サイズに反映させることができる。従って、表示装置１０は、適切なサイズで画像を表示することができる。
【００４３】
第１の視角情報と、第２の視角情報とは、視角を示す確率密度関数であり、視角情報取得部１６１は、第１の視角情報の確率密度関数と、第２の視角情報の確率密度関数と、の積を最尤法により算出することにより、視角情報を取得する。
これにより、表示装置１０は、ユーザの嗜好と、製作者の制作意図との両方を、その主張の強さに応じてバランスを取りながら画像の表示サイズに反映させることができる。従って、表示装置１０は、適切なサイズで画像を表示することができる。
【００４４】
[第２の実施形態]
本発明の第２の実施形態について説明する。ここでは、上述した実施形態と同様の構成については、同一の符号を付し、説明を援用する。
まず、第２の実施形態の概要について説明する。
図５は、本実施形態の概要を示す模式図である。
本実施形態に係る表示装置１０Ａは、表示部１３Ａとして、画像の投射用モジュールを備える装置である。つまり、表示装置１０Ａは、いわゆる投射型表示装置であり、例えば、プロジェクタである。表示装置１０Ａは、スクリーン３０に対して所定の投射画角φで光線を放射し、画像をスクリーン３０に表示させる。以下では、投射により画像を表示可能な範囲を画面と称する。図５に示す例の場合、画面は、一点鎖線で示す光線が、スクリーン３０に交差する範囲である。この場合の画面サイズは、サイズＶＳである。表示装置１０Ａは、表示装置１０と同様に、画面に占める画像のサイズを、視聴視角と、視聴距離とに基づいて調整する。以下では、簡単のため、投射画角を、一定とする場合について説明する。
以上が、第２の実施形態の概要についての説明である。
【００４５】
次に、表示装置１０Ａの構成について説明する。
図６は、表示装置１０Ａの構成を示すブロック図である。
表示装置１０Ａは、表示装置１０が備える表示部１３、記憶部１５、制御部１６に代えて、表示部１３Ａ、記憶部１５Ａ、制御部１６Ａを備える。
表示部１３Ａは、光源、液晶パネル、反射型光変調素子、反射型液晶素子（Ｌｉｑｕｉｄ  Ｃｒｙｓｔａｌ  Ｏｎ  Ｓｉｌｉｃｏｎ）等の投射用モジュールを備える。また、投射用モジュールは、ズーム機能を備えた投射レンズを含む。表示部１３Ａは、各種画像の光線をスクリーン３０に投射して表示する。
【００４６】
記憶部１５Ａは、記憶部１５が備える画面情報記憶部１５２に代えて、画面情報記憶部１５２Ａを備える。
画面情報記憶部１５２Ａは、画面情報記憶部１５２と同様に画面情報を予め記憶する。ただし、本実施形態に係る画面情報は、その内容が、第１の実施形態とは異なる。本実施形態に係る投射情報とは、表示部１３Ａの画面の属性を示す情報である。画面情報には、投射解像度情報と、投射レンズ情報と、投射距離情報と、が含まれる。投射解像度情報とは、投射用モジュールの解像度を示す情報である。投射レンズとは、投射における投射画角を示す情報である。投射レンズには、投射レンズの現在の焦点距離（現在の投射画角の値）、投射レンズの光軸方向の他、設定可能な投射レンズのズーム倍率（焦点距離の最小値、最大値、投射画角の最小値、最大値）の情報を含まれる。投射距離情報とは、投射距離を示す情報である。投射距離とは、表示装置１０Ａとスクリーン３０との間の距離（例えば、図５の距離ＶＤ）である。投射距離は、予め定められていてもよいし、任意の方法で表示装置１０Ａが計測してもよい。
【００４７】
制御部１６Ａは、制御部１６が備える画面情報取得部１６２、画像サイズ変換部１６６に代えて、画面情報取得部１６２Ａ、画像サイズ変換部１６６Ａを備える。
画面情報取得部１６２Ａは、画面情報記憶部１５２Ａから投射レンズ情報と、投射距離情報とを読み出す。画面情報取得部１６２Ａは、投射レンズ情報と投射距離とに基づいて、画面サイズを算出する。画面サイズの算出には、公知の任意の技術を適用してよい。画面情報取得部１６２Ａは、算出した画面サイズを示す画面サイズ情報を表示サイズ算出部１６４に出力する。
画像サイズ変換部１６６Ａは、画面情報取得部１６２Ａと同様に、投射レンズ情報と投射距離とに基づいて、画面サイズを算出する。そして、画像サイズ変換部１６６Ａは、画像サイズ変換部１６６と同様に、画像情報を変換する。
以上が、表示装置１０Ａの構成についての説明である。
【００４８】
以上説明したように、本実施形態に係る表示装置１０Ａは、画像（例えば、映像、静止画像）を示す画像情報を取得する画像情報取得部１６５と、視角（例えば、視聴視角）に関する視角情報（例えば、嗜好サイズ情報、制作サイズ情報）を取得する視角情報取得部１６１と、距離（例えば、視聴距離）を示す距離情報を取得する距離取得部１６３と、画像情報が示す画像の表示サイズを、視角情報と距離情報とに基づいて算出する表示サイズ算出部１６４と、を備える。
これにより、表示装置１０Ａは、視聴距離や視聴視角に応じて画像の表示サイズを決定する。従って、表示装置１０Ａは、適切なサイズで画像を表示することができる。
【００４９】
また、表示装置１０Ａは、画像情報が示す画像を、表示サイズ算出部１６４が算出した表示サイズで投射面に表示されるように、表示部１３Ａを介して投射する表示制御部１６７、を備える。
これにより、表示装置１０Ａは、プロジェクタのように画面と表示装置１０Ａとの間が空間的に離間している場合であっても、適切なサイズで画像を表示することができる。
【００５０】
[第３の実施形態]
本発明の第３の実施形態について説明する。ここでは、上述した各実施形態と同様の構成については、同一の符号を付し、説明を援用する。
まず、第３の実施形態の概要について説明する。
図７は、本実施形態の概要を示す模式図である。
本実施形態に係る表示装置１０Ｂは、表示装置１０Ａと同様に、投射型表示装置である。ただし、表示装置１０Ａは、画面に占める画像のサイズを変化させることにより、画像の表示サイズを調整したのに対して、表示装置１０Ｂは、画面のサイズを調整することにより、画像の表示サイズを調整する点が異なる。
【００５１】
図７において、スクリーンのサイズＳＳは、図５に示す画面サイズＶＳと同一である。これに対して、表示装置１０Ｂは、投射レンズの焦点距離を変更、すなわち投射画角の角度φからφ’に変更することにより画面サイズをサイズＶＳ’に縮小している。これにより、表示装置１０Ｂは、画像情報を変換することなく、図５に示す例と同様に、画像の表示サイズをサイズＰＳに調整することができる。
以上が、第３の実施形態の概要についての説明である。
【００５２】
次に、表示装置１０Ｂの構成について説明する。
図８は、表示装置１０Ｂの構成を示すブロック図である。
表示装置１０Ｂは、制御部１６Ａが備える画像サイズ変換部１６６Ａを備えない。また、表示装置１０Ｂは、制御部１６Ａが備える表示制御部１６７に代えて、表示制御部１６７Ｂを備える。
【００５３】
表示制御部１６７Ｂは、表示制御部１６７と同様に、画像情報取得部１６５から画像情報を取得する。表示サイズ算出部１６４から表示サイズ情報を取得する。表示制御部１６７Ｂは、画面情報記憶部１５２Ａから画面情報を取得する。表示制御部１６７Ｂは、表示サイズを画面サイズで除算し、投射レンズの焦点距離の変更率（投射画角の変更率）を算出する。表示制御部１６７Ｂは、算出した変換率に基づいて、投射レンズの焦点距離を設定する。ただし、変更後の焦点距離の値が、投射レンズに設定可能なズーム倍率の範囲外である場合には、投射画角を最大値、又は、最小値に設定する。そして、画像情報を表示部１３Ａに出力し、設定した投射画角で投射させる。これにより、画面サイズが表示サイズに一致する。
以上が、表示装置１０Ｂの構成についての説明である。
【００５４】
次に、表示装置１０Ｂの動作について説明する。
図９は、表示装置１０Ｂによる処理の流れの一例を示すフローチャートである。
図９に示すステップＳ１０〜Ｓ１５、Ｓ１７の処理は、図４に示す処理と同様のため、説明を省略する。
（ステップＳ３６）ステップＳ１５の処理の後、表示制御部１６７Ｂは、画面サイズがステップＳ１５において算出した表示サイズと一致するように投射画角を算出する。表示制御部１６７Ｂは、表示部１３Ｂの投射画角を、算出した投射画角に設定する。その後、制御部１６Ｂは、ステップＳ１７に処理を進める。
以上が、表示装置１０Ｂの動作についての説明である。
【００５５】
以上説明したように、表示装置１０Ｂは、画像情報が示す画像を、表示サイズ算出部１６４が算出した表示サイズで投射面に表示されるように、表示部１３Ａを介して投射する表示制御部１６７Ｂ、を備える。
これにより、表示装置１０Ａは、プロジェクタのように画面と表示装置１０Ｂとの間が空間的に離間している場合であっても、適切なサイズで画像を表示することができる。
なお、第３の実施形態では、投射レンズの焦点距離を変更することにより画面サイズを変更する場合について説明したが、これには限られない。画面サイズの変更は、例えば、投射距離の変更により行われてもよい。
【００５６】
［変形例］
以上、この発明の実施形態について図面を参照して詳述してきたが、具体的な構成は上述の実施形態に限られるものではなく、この発明の要旨を逸脱しない範囲の設計等も含まれる。例えば、上述の第１〜３の実施形態において説明した各構成は、任意に組み合わせたり、分離して複数の装置に備えたりすることができる。
例えば、表示装置１０、１０Ａ、１０Ｂは、テレビ又はプロジェクタと、テレビに接続された別体の情報処理装置として構成されてもよい。このような情報処理装置としては、セットトップボックス、ＤＶＤ／ＢＤプレイヤー、ゲーム機、パーソナルコンピュータ、携帯電話、タブレット、スマートフォン、ＰＨＳ（Ｐｅｒｓｏｎａｌ  Ｈａｎｄｙ−ｐｈｏｎｅ  Ｓｙｓｔｅｍ）端末装置、ＰＤＡ（Ｐｅｒｓｏｎａｌ  Ｄｉｇｉｔａｌ  Ａｓｓｉｓｔａｎｔ）等の電子機器が挙げられる。
【００５７】
また、上述の表示装置１０、１０Ａ、１０Ｂの機能を実現するためのプログラムをコンピュータ読み取り可能な記録媒体に記録して、この記録媒体に記録されたプログラムをコンピュータシステムに読み込ませ、実行することにより表示装置１０、１０Ａ、１０Ｂとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部又は外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００５８】
また、上述した表示装置１０、１０Ａ、１０Ｂの機能の一部又は全部を、ＬＳＩ等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【００５９】
１０、１０Ａ、１０Ｂ…表示装置、１１…入力部、１２…受信部、１３、１３Ａ…表示部、１４…視聴距離計測部、１５…記憶部、１５１…嗜好サイズ情報記憶部、１５２、１５２Ａ…画面情報記憶部、１６、１６Ａ、１６Ｂ…制御部、１６１…視角情報取得部、１６２、１６２Ａ…画面情報取得部、１６３…距離取得部、１６４、１６４Ａ…表示サイズ算出部、１６５…画像情報取得部、１６６、１６６Ａ…画像サイズ変換部、１６７、１６７Ｂ…表示制御部、３０…スクリーン
【図１】
2017215371.tif 000003
【図２】
2017215371.tif 000004
【図３】
2017215371.tif 000005
【図４】
2017215371.tif 000006
【図５】
2017215371.tif 000007
【図６】
2017215371.tif 000008
【図７】
2017215371.tif 000009
【図８】
2017215371.tif 000010
【図９】
2017215371.tif 000011